(57)【要約】【課題】高速パケット通信においてチャンネル数が増えても、部品ユニット間のデータ通信量の肥大化を抑制できる基地局装置及びこの基地局装置における信号処理方法を提供すること。【解決手段】スケジューリング部１３１は、入力タイミング制御部１３３から出力されてくるＡＣＫ信号又はＮＡＣＫ信号に基づいて、パケットデータを再送信するか選択する。入力タイミング制御部１３３は、スケジューリング部１３１からパケットデータの送信タイミング情報を入力され、この送信タイミング情報に基づいてパケットデータに対する送達確認信号がＡＣＫ判定部１２３から出力されてくるタイミングを予測し、この予測されるタイミングを基準にした一定期間内に限り、前記送達確認信号をスケジューリング部１３１へと通過させる。【選択図】      図１
2004328397.tif 000002
【特許請求の範囲】
【請求項１】
通信端末装置から送信されてくるパケットデータの送達確認信号を受信する受信手段と、
前記通信端末装置に前記パケットデータを送信するタイミングに関する情報に基づいて設定された期間に限り、前記受信手段から出力されてくる前記送達確認信号を通過させる入力タイミング制御手段と、
前記入力タイミング制御手段から出力されてくる前記送達確認信号に基づいて前記パケットデータを再送信するか新規パケットデータを送信するかを選択すると伴に、前記入力タイミング制御手段に前記パケットデータ又は前記新規パケットデータを送信するタイミングに関する情報を出力するスケジューリング手段と、
前記スケジューリング手段にて選択された前記パケットデータ又は前記新規パケットデータを送信する送信手段と、を具備することを特徴とする基地局装置。
【請求項２】
前記受信手段と前記入力タイミング制御手段との間に、前記送達確認信号の内容を判定する判定手段を具備し、
前記入力タイミング制御手段は、判定後の前記送達確認信号をスケジューリング手段に出力する、
ことを特徴とする請求項１記載の基地局装置。
【請求項３】
前記入力タイミング制御手段と前記スケジューリング手段との間に、
前記入力タイミング制御手段から繰り返し出力されてくる前記送達確認信号を複数回分保持して加算するデータ加算手段と、
前記データ加算手段にて加算された前記送達確認信号の内容を判定する判定手段と、を具備することを特徴とする請求項１記載の基地局装置。
【請求項４】
前記入力タイミング制御手段における設定された期間は、前記パケットデータの送信タイミング情報に基づいて入力タイミング制御手段に前記送達確認信号が最初に入力されると予測される時点を基準としてその前後それぞれ２００μｓから５００μｓまでの期間であることを特徴とする請求項１または請求項２記載の基地局装置。
【請求項５】
パケットデータを送信するタイミングについての情報を装置内部に保持する保持ステップと、
前記パケットデータを受信する通信端末装置から送信されてくる前記パケットデータの送達確認信号を受信する受信ステップと、
前記受信ステップにおける前記送達確認信号の内容を判定する判定ステップと、
保持された前記パケットデータの前記送信タイミング情報を基準として設定された期間に限り、前記送達確認信号を通過させる入力タイミング制御ステップと、
前記入力タイミング制御ステップにおいて通過させられた前記送達確認信号に基づいて前記パケットデータを再送信するか新規パケットデータを送信するかを選択すると伴に、前記保持ステップにおける前記送信タイミング情報を生成するスケジューリングステップと、
前記スケジューリングステップにおいて選択されたパケットデータを送信する送信ステップと、を具備することを特徴とする基地局装置における信号処理方法。
【発明の詳細な説明】
【０００１】
【発明の属する技術分野】
本発明は、高速大容量な下りチャンネルを複数の通信端末装置が共有し、下り回線で高速パケット伝送を行うＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスに適した基地局装置及びこの装置における信号処理方法に関する。
【０００２】
【従来の技術】
従来、ＨＳＤＰＡサービスに関して、通信端末装置から送信されてくるパケットデータの送達確認信号に基づいて、再送信されるパケットデータを自動的に設定する基地局装置が知られている（例えば、特許文献１参照）。
【０００３】
ＨＳＤＰＡサービスでは、各通信端末装置がＣＱＩ（Ｃｈａｎｎｅｌ  Ｑｕａｌｉｔｙ  Ｉｎｄｉｃａｔｏｒ）信号を周期的に送信する。基地局装置は、各通信端末装置からのＣＱＩ信号に基づき、下り無線回線の品質を推定し、この推定結果に適応した変調方式と符号化率の組合せでパケットデータを送信する。続いて、このパケットデータを受信した通信端末装置からパケットデータの送達確認信号（ＡＣＫ信号、ＮＡＣＫ信号及び複数のＡＣＫ若しくは複数のＮＡＣＫで構成されるＨＡＲＱ−ＡＣＫ信号）が基地局装置に送信される。この送達確認信号を受信した基地局装置は、ＮＡＣＫ信号を受信したときに、このＮＡＣＫ信号に対応するパケットデータを通信端末装置に自動的に再送信する。ここで、ＡＣＫ信号とは、基地局装置から送信されたパケットデータが通信端末装置において正しく受信できたことを示す信号であり、ＮＡＣＫ信号とは、基地局装置から送信されたパケットデータが通信端末装置において正しく受信できなかったことを示す信号である。
【０００４】
ＨＳＤＰＡサービスでは、基地局装置において通信端末装置から送達確認信号が送信されてくる時期を予測できるため、この予測される時期に限り送達確認信号を判定することによって、雑音や干渉等に由来するＡＣＫ信号またはＮＡＣＫ信号の誤判定に伴うパケットデータの不適切な再送制御を排除することができる。
【０００５】
そこで、ＨＳＤＰＡサービスで使用される基地局装置には、ＡＣＫ信号またはＮＡＣＫ信号の誤判定を排除して下り回線の情報伝送効率を高めるため、通信端末装置から送信されてくるＡＣＫ信号及びＮＡＣＫ信号について、応答が必要なＡＣＫ信号及びＮＡＣＫ信号のみを選択的に抽出するフィルタ機器が取り付けられる。
【０００６】
図５に、このフィルタ機器を具備する基地局装置の一般的な構成を示す。
【０００７】
この基地局装置５０は、アンテナ素子１１、４５、無線受信部１２、複数の受信信号加工ユニット２０、パケット加工ユニット３０、ＨＳ−ＳＣＣＨ（Ｈｉｇｈ  Ｓｐｅｅｄ  −  Ｓｈａｒｅｄ  Ｃｏｎｔｒｏｌ  Ｃｈａｎｎｅｌ）送信部４１、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）送信部４２及び無線送信部４３で構成される。
【０００８】
受信信号加工ユニット２０は、ＨＳ−ＤＰＣＣＨ（Ｈｉｇｈ  Ｓｐｅｅｄ  −  Ｄｅｄｉｃａｔｅｄ  Ｐｈｙｓｉｃａｌ  Ｃｏｎｔｒｏｌ  Ｃｈａｎｎｅｌ）受信部２１、ＨＡＲＱ（Ｈｙｂｒｉｄ  Ａｕｔｏｍａｔｉｃ  Ｒｅｐｅａｔ  ｒｅＱｕｅｓｔ）−ＡＣＫシンボル加算部２２、ＡＣＫ判定部２３、誤り訂正部２４、ＣＱＩ処理部２５及びＡＣＫ判定タイミング制御部２６で構成される。また、受信信号加工ユニット２０は、通信端末装置との間に形成されるチャンネル毎に必要となるため、ＨＳＤＰＡサービスを使用中のパケットユーザ数分即ち使用中の総チャンネル数分設けられる。
【０００９】
パケット加工ユニット３０は、スケジューリング部３１及びパケットデータバッファ３２で構成される。
【００１０】
基地局装置から通信端末装置に送信されるパケットデータについて、通信端末装置では、パケットデータに対する複数のＡＣＫ又は複数のＮＡＣＫで構成されるＨＡＲＱ−ＡＣＫ信号が生成される。この通信端末装置から送信されてくるＨＡＲＱ−ＡＣＫ信号は、アンテナ素子１１で受信された後に受信信号加工ユニット２０に出力される。受信信号加工ユニット２０に入力されたＨＡＲＱ−ＡＣＫ信号は、ＨＳ−ＤＰＣＣＨ受信部２１によって、各受信信号加工ユニット２０に割り当てられたチャンネルの信号のみが選択され抽出される。続いて、ＨＡＲＱ−ＡＣＫ信号は、ＨＡＲＱ−ＡＣＫシンボル加算部２２においてＨＡＲＱ−ＡＣＫ信号に含まれる全てのシンボルが加算され、この加算値がＡＣＫ判定部２３に出力される。続いて、シンボル加算後のＨＡＲＱ−ＡＣＫ信号は、ＡＣＫ判定部２３において、ＡＣＫ判定タイミング制御部２６から指示されたタイミングでＡＣＫ信号であるのかＮＡＣＫ信号であるのかが判定される。また、ＨＡＲＱ−ＡＣＫシンボル加算部２２における加算値がＡＣＫ信号ともＮＡＣＫ信号とも判定できない場合は、ＡＣＫ判定部２３は、ＤＴＸ信号（ＡＣＫ信号もＮＡＣＫ信号も送信されてこなかったことを示す信号）を出力する。ここで、ＡＣＫ判定タイミング制御部２６は、スケジューリング部３１から送信されてくる信号即ちスケジューリング部３１がパケットデータを出力したタイミングについての情報に基づいて前記判定を行うべきタイミングを決定し、ＡＣＫ判定部２３にこのタイミングを通知する。
【００１１】
続いて、ＡＣＫ判定部２３における判定後の送達確認信号（ＤＴＸ信号を含む）が各受信信号加工ユニット２０からパケット加工ユニット３０に出力される。複数の受信信号加工ユニット２０から出力される送達確認信号は全て、スケジューリング部３１に入力される。そして、スケジューリング部３１は、この判定後の送達確認信号がＡＣＫ信号であるときには、パケットデータバッファ３２に保持される対応パケットデータを廃棄して、この対応パケットデータのために使用されていたＨＡＲＱのリソースを解放する。また、スケジューリング部３１は、判定後の送達確認信号がＮＡＣＫ信号であるときには、対応するパケットデータをパケットデータバッファ３２から入手して、ＨＳ−ＳＣＣＨ送信部４１、ＨＳ−ＰＤＳＣＨ送信部４２及び無線送信部４３を介して、アンテナ素子４５から通信端末装置に前記パケットデータを再送信する。また、スケジューリング部３１は、判定後の送達確認信号がＤＴＸ信号であるときには、特に作動せず、次の送達確認信号が出力されてくるまで待機する。
【００１２】
【特許文献１】
特開２００２−９７４１号公報
【００１３】
【発明が解決しようとする課題】
しかしながら、従来の基地局装置５０では、スケジューリング部３１がパケットデータを出力する度に、スケジューリング部３１からＡＣＫ判定タイミング制御部２６にパケットデータを出力したタイミングを通知する必要があるため、パケット加工ユニット３０と受信信号加工ユニット２０との間のデータ通信量が肥大化する問題がある。
【００１４】
また、このデータ通信量の肥大化に伴って、ＡＣＫ判定部２３からスケジューリング部３１に前記判定結果を出力するタイミングを調整しなければならなくなったり、受信信号加工ユニット２０の設置数を制限しなければならなくなったりする問題もある。特に近年では、基地局装置の製造コストを引き下げるため、基地局装置の使用部品を共用化及びユニット化して、使用部品の汎用性を高める改良が積極的に進められている。そのため、基地局装置の実際の設計においては、使用部品間特に部品ユニット間の物理的な距離が長くなる傾向にある。従って、前記データ通信量の肥大化に起因する問題は、今後一層顕在化していくものと考えられる。
【００１５】
本発明はかかる点に鑑みてなされたものであり、高速パケット通信においてチャンネル数が増えても、部品ユニット間のデータ通信量の肥大化を抑制できる基地局装置及びこの基地局装置における信号処理方法を提供することを目的とする。
【００１６】
【課題を解決するための手段】
本発明に係る基地局装置は、通信端末装置から送信されてくるパケットデータの送達確認信号を受信する受信手段と、前記通信端末装置に前記パケットデータを送信するタイミングに関する情報に基づいて設定された期間に限り、前記受信手段から出力されてくる前記送達確認信号を通過させる入力タイミング制御手段と、前記入力タイミング制御手段から出力されてくる前記送達確認信号に基づいて前記パケットデータを再送信するか新規パケットデータを送信するかを選択すると伴に、前記入力タイミング制御手段に前記パケットデータ又は前記新規パケットデータを送信するタイミングに関する情報を出力するスケジューリング手段と、前記スケジューリング手段にて選択された前記パケットデータ又は前記新規パケットデータを送信する送信手段と、を具備する構成を採る。
【００１７】
この構成によれば、スケジューリング手段から提供されるパケットデータの送信タイミング情報に基づいて作動し、かつ、スケジューリング手段への送達確認信号の入力を制御する入力タイミング制御手段を、受信手段からスケジューリング手段への送達確認信号の経路上に配置するため、入力タイミング制御手段をスケジューリング手段の近傍に配置することができる。その結果、この構成によれば、入力タイミング制御手段とスケジューリング手段との物理的な距離を縮めることができ、基地局装置内部における部品ユニット間のデータ通信量の肥大化を抑制することができる。
【００１８】
本発明に係る基地局装置は、前記発明において、前記受信手段と前記入力タイミング制御手段との間に、前記送達確認信号の内容を判定する判定手段を具備し、前記入力タイミング制御手段は、判定後の前記送達確認信号をスケジューリング手段に出力する構成を採る。
【００１９】
この構成によれば、前記発明の効果に加えて、判定手段により送達確認信号がＡＣＫ信号、ＮＡＣＫ信号又はＤＴＸ信号に明確に類別されるため、入力タイミング制御手段において信号処理の負担が軽減されると伴に、設定された期間に送達確認信号を確実に通過させることができる。
【００２０】
本発明に係る基地局装置は、前記発明において、前記入力タイミング制御手段と前記スケジューリング手段との間に、前記入力タイミング制御手段から繰り返し出力されてくる前記送達確認信号を複数回分保持して加算するデータ加算手段と、前記データ加算手段にて加算された前記送達確認信号の内容を判定する判定手段と、を具備する構成を採る。
【００２１】
この構成によれば、送達確認信号が通信端末装置から連続して複数回にわたり繰り返し送信される場合でも、前記発明と同等の効果を奏することができる。また、この構成によれば、送達確認信号がＡＣＫ信号又はＮＡＣＫ信号とＤＴＸ信号とに明確に類別されるため、この送達確認信号を送信した通信端末装置に対する次回パケットデータの送信時において、パケットデータを再送信するか新規パケットデータを送信するかについての判定が容易になる。
【００２２】
本発明に係る基地局装置は、前記発明において、前記入力タイミング制御手段における設定された期間は、前記パケットデータの送信タイミング情報に基づいて入力タイミング制御手段に前記送達確認信号が最初に入力されると予測される時点を基準としてその前後それぞれ２００μｓから５００μｓまでの期間である構成を採る。
【００２３】
この構成によれば、入力タイミング制御手段に送達確認信号が入力されるタイミングについて、目的外の他の送達確認信号が混入してくることを防止しつつ、目的とする送達確認信号の入力タイミングに余裕を持たせることができるため、基地局装置の設計の自由度を高めることができる。
【００２４】
本発明に係る基地局装置における信号処理方法によれば、パケットデータを送信するタイミングについての情報を装置内部に保持する保持ステップと、前記パケットデータを受信する通信端末装置から送信されてくる前記パケットデータの送達確認信号を受信する受信ステップと、前記受信ステップにおける前記送達確認信号の内容を判定する判定ステップと、保持された前記パケットデータの前記送信タイミング情報を基準として設定された期間に限り、前記送達確認信号を通過させる入力タイミング制御ステップと、前記入力タイミング制御ステップにおいて通過させられた前記送達確認信号に基づいて前記パケットデータを再送信するか新規パケットデータを送信するかを選択すると伴に、前記保持ステップにおける前記送信タイミング情報を生成するスケジューリングステップと、前記スケジューリングステップにおいて選択されたパケットデータを送信する送信ステップと、を具備するようにした。
【００２５】
この方法によれば、スケジューリングステップにおけるパケットデータの送信タイミング情報に基づいて、入力タイミング制御ステップにおける送達確認信号の流れが直接的に制御されるため、入力タイミング制御ステップとスケジューリングステップとの間以外でのデータ通信量を減らすことができる。
【００２６】
【発明の実施の形態】
本発明の骨子は、高速パケット通信において、通信端末装置から送信されてくるパケットデータの送達確認信号に基づいてパケットデータを再送信するか新規パケットデータを送信するかを選択するスケジューリング手段の近傍に、前記パケットデータの送信タイミング情報に基づいて前記送達確認信号を通過させるタイミングを調整する入力タイミング制御手段を配置することである。
【００２７】
以下、本発明の実施の形態について、図面を参照して詳細に説明する。
【００２８】
（実施の形態１）
図１は、本発明の実施の形態１に係る基地局装置１００の構成を示すブロック図である。
【００２９】
基地局装置１００は、アンテナ素子１１１、１４５、無線受信部１１２、受信信号加工ユニット１２０、パケット加工ユニット１３０、ＨＳ−ＳＣＣＨ送信部１４１、ＨＳ−ＰＤＳＣＨ送信部１４２及び無線送信部１４３を具備する。
【００３０】
また、受信信号加工ユニット１２０は、ＨＳ−ＤＰＣＣＨ受信部１２１、ＨＡＲＱ−ＡＣＫシンボル加算部１２２、ＡＣＫ判定部１２３、誤り訂正部１２４及びＣＱＩ処理部１２５を具備する。
【００３１】
また、パケット加工ユニット１３０は、スケジューリング部１３１、パケットデータバッファ１３２及び入力タイミング制御部１３３を具備する。
【００３２】
アンテナ素子１１１は、パケットデータを受信した複数の通信端末装置から送信されてくる前記パケットデータの送達確認信号及び回線品質情報（ＣＱＩ信号）を受信し、これらの信号を無線受信部１１２に出力する。
【００３３】
無線受信部１１２は、アンテナ素子１１１から出力されてくる送達確認信号及び回線品質情報に周波数変換を施した後に、これらの信号を複数の受信信号加工ユニット１２０に出力する。
【００３４】
ＨＳ−ＤＰＣＣＨ受信部１２１は、無線受信部１１２から出力されてくる前記信号の中から、具備される受信信号加工ユニット１２０に割り当てられたチャンネル（通信端末装置）に該当する前記信号のみを選択して抽出する。そして、ＨＳ−ＤＰＣＣＨ受信部１２１は、抽出された前記信号にＡ／Ｄ変換、逆拡散及び復調処理を施した後、この処理された信号をＨＡＲＱ−ＡＣＫシンボル加算部１２２及び誤り訂正部１２４に出力する。
【００３５】
ＨＡＲＱ−ＡＣＫシンボル加算部１２２は、ＨＳ−ＤＰＣＣＨ受信部１２１から出力されてくる送達確認信号について、ＨＳ−ＤＰＣＣＨのＨＡＲＱ−ＡＣＫ部分で繰り返される全てのシンボルデータ（ＨＡＲＱ−ＡＣＫ信号）を加算する。そして、ＨＡＲＱ−ＡＣＫシンボル加算部１２２は、ＨＡＲＱ−ＡＣＫ信号に含まれる全てのシンボルデータ（ＡＣＫ又はＮＡＣＫを示すシンボルの繰り返し）の加算値（軟判定データ）をＡＣＫ判定部１２３に周期的に順次出力する。
【００３６】
ＡＣＫ判定部１２３は、ＨＡＲＱ−ＡＣＫシンボル加算部１２２から出力されてくる前記加算値に基づいて、その送達確認信号がＡＣＫ信号を示すか又はＮＡＣＫ信号を示すかを判定する。また、ＡＣＫ判定部１２３は、前記加算値がＡＣＫ信号ともＮＡＣＫ信号とも判定できない場合には、ＤＴＸ信号を出力する。即ち、ＡＣＫ判定部１２３は、本発明に係る判定手段としての役割を担う。また、ＡＣＫ判定部１２３は、判定後の送達確認信号を順次入力タイミング制御部１３３に出力する。
【００３７】
誤り訂正部１２４は、ＨＳ−ＤＰＣＣＨ受信部１２１から出力されてくる回線品質情報（ＣＱＩ信号）の誤り訂正を行う。そして、誤り訂正部１２４は、誤り訂正されたＣＱＩ信号をＣＱＩ処理部１２５に出力する。
【００３８】
ＣＱＩ処理部１２５は、誤り訂正部１２４で誤り訂正されたＣＱＩ信号に基づいて、具備される受信信号加工ユニット１２０に割り当てられたチャンネルについての回線品質状況を判定する。また、ＣＱＩ処理部１２５は、回線品質状態についての判定結果をスケジューリング部１３１に出力する。
【００３９】
スケジューリング部１３１は、入力タイミング制御部１３３から出力されてくるＡＣＫ信号又はＮＡＣＫ信号に基づいて、一度送信されたパケットデータを再送信するか新規パケットデータを送信するかを選択する。また、スケジューリング部１３１は、ＣＱＩ処理部１２５での回線品質の判定結果に基づいて、選択されたパケットデータの変調方式を選定する。また、スケジューリング部１３１は、前記パケットデータを再送信するときには、パケットデータバッファ１３２からパケットデータの提供を受ける。また、スケジューリング部１３１は、送信されるパケットデータのリソース割り当て等に関する情報を生成してＨＳ−ＳＣＣＨ送信部１４１に出力する。また、スケジューリング部１３１は、送信されるパケットデータをＨＳ−ＰＤＳＣＨ送信部１４２に出力する。なお、スケジューリング部１３１は、送信されるパケットデータの優先度や回線品質状況等を勘案して、次のＴＴＩでパケットデータを送信する宛先となる通信端末装置を決定する。さらに、スケジューリング部１３１は、ＨＳ−ＳＣＣＨ送信部１４１への前記出力に伴って、パケットデータの関連情報を出力したタイミング（送信タイミング情報）を入力タイミング制御部１３３に出力する。
【００４０】
パケットデータバッファ１３２は、無線ネットワーク制御装置（ＲＮＣ：Ｒａｄｉｏ  Ｎｅｔｗｏｒｋ  Ｃｏｎｔｒｏｌｌｅｒ）からパケットデータを取得し、これをスケジューリング部１３１に出力すると伴に一定期間保持する。そして、パケットデータバッファ１３２は、スケジューリング部１３１から要求されたときに、その保持するパケットデータをスケジューリング部１３１に提供する。
【００４１】
入力タイミング制御部１３３は、スケジューリング部１３１からパケットデータの送信タイミング情報を入力される。そして、入力タイミング制御部１３３は、この送信タイミング情報に基づいて前記パケットデータに対する送達確認信号がＡＣＫ判定部１２３から出力されてくるタイミングを予測し、この予測されるタイミングを基準にした一定期間内に限り、前記送達確認信号をスケジューリング部１３１へと通過させる。なお、入力タイミング制御部１３３は、前記一定の期間内であってもＡＣＫ判定部１２３からＤＴＸ信号が送信されてくるときには、スケジューリング部１３１に信号を何も出力しない。また、入力タイミング制御部１３３は、前記設定された一定期間以外の期間にＡＣＫ判定部１２３から出力されてくるＡＣＫ信号、ＮＡＣＫ信号及びＤＴＸ信号については、これらを通過させることなく遮断する。
【００４２】
ＨＳ−ＳＣＣＨ送信部１４１は、スケジューリング部１３１で生成されたパケットデータについてのリソース割り当てに関する情報（ＴＦＲＩ：Ｔｒａｎｓｐｏｒｔ−ｆｏｒｍａｔ  ａｎｄ  Ｒｅｓｏｕｒｃｅ  ｒｅｌａｔｅｄ  Ｉｎｆｏｒｍａｔｉｏｎ）及びＨＡＲＱ制御に関する情報等をスケジューリング部１３１から取得して、これらの情報を無線送信部１４３に出力する。
【００４３】
ＨＳ−ＰＤＳＣＨ送信部１４２は、スケジューリング部１３１からパケットデータを取得して、このパケットデータに変調、拡散及びＤ／Ａ変換等の処理を施す。そして、ＨＳ−ＰＤＳＣＨ送信部１４２は、処理後のパケットデータを無線送信部１４３に出力する。
【００４４】
無線送信部１４３は、ＨＳ−ＳＣＣＨ送信部１４１から出力されてくるパケットデータの関連情報と、ＨＳ−ＰＤＳＣＨ送信部１４２から出力されてくるパケットデータと、にそれぞれ別個に周波数変換等を施した後に、これらをアンテナ素子１４５に順次出力する。
【００４５】
アンテナ素子１４５は、無線送信部１４３から順次出力されてくるパケットデータ及びその関連情報を通信端末装置に出力する。
【００４６】
次いで、基地局装置１００の機能及び動作について、図面を適宜参照しながら詳細に説明する。
【００４７】
先ず、通信端末装置に送信されるパケットデータが、無線ネットワーク制御装置（ＲＮＣ）からパケットデータバッファ１３２を介してスケジューリング部１３１に入力される。スケジューリング部１３１では、このパケットデータについてのリソースや変調方式等の関連情報が作成され、このパケットデータの送信に先立って、ＨＳ−ＳＣＣＨ送信部１４１、無線送信部１４３及びアンテナ素子１４５を介してこの関連情報が通信端末装置に送信される。このスケジューリング部１３１からＨＳ−ＳＣＣＨ送信部１４１への関連情報の出力と平行して、前記関連情報の出力されたタイミング（送信タイミング情報）がスケジューリング部１３１から入力タイミング制御部１３３に通知される。そして間を置かずに、前記パケットデータがスケジューリング部１３１からＨＳ−ＰＤＳＣＨ送信部１４２に出力される。このパケットデータは、ＨＳ−ＰＤＳＣＨ送信部１４２において変調、拡散及びＤ／Ａ変換等の処理を施された後、無線送信部１４３及びアンテナ素子１４５を介して通信端末装置に送信される。
【００４８】
続いて、通信端末装置では、基地局装置から送信されてくる前記関連情報が受信されることにより、パケットデータの受信準備が整えられる。また、通信端末装置では、受信されたパケットデータに周波数変換、Ａ／Ｄ変換、逆拡散及び復調等の処理が施される。ここで、通信端末装置においてパケットデータを正しく受信できた場合（ＣＲＣ判定結果がＯＫの場合）には、通信端末装置から基地局装置１００に複数のＡＣＫで構成されるＨＡＲＱ−ＡＣＫ信号が送信され、一方パケットデータを正しく受信できなかった場合（ＣＲＣ判定結果がＮＧの場合）には、基地局装置１００に複数のＮＡＣＫで構成されるＨＡＲＱ−ＡＣＫ信号が送信される。
【００４９】
続いて、各通信端末装置から送信されてくる送達確認信号（ＨＡＲＱ−ＡＣＫ信号）及び回線品質情報は、アンテナ素子１１１で受信された後に無線受信部１１２に出力される。
【００５０】
続いて、無線受信部１１２に出力された前記送達確認信号及び回線品質情報は、周波数変換された後に、これらの信号が送信されてきたチャンネル（通信端末装置）毎に割り当てられた受信信号加工ユニット１２０にそれぞれ出力される。
【００５１】
続いて、各受信信号加工ユニット１２０に出力された送達確認信号及び回線品質情報は、ＨＳ−ＤＰＣＣＨ受信部１２１においてＡ／Ｄ変換、逆拡散及び復調等の各処理を施された後に、ＨＡＲＱ−ＡＣＫシンボル加算部１２２と誤り訂正部１２４とに分岐される。
【００５２】
続いて、ＨＡＲＱ−ＡＣＫシンボル加算部１２２において、ＨＳ−ＤＰＣＣＨ１２１から出力されてくる送達確認信号は、ＨＡＲＱ−ＡＣＫ信号に含まれるＡＣＫ又はＮＡＣＫからなるシンボルが全て加算される。そして、その加算値がＡＣＫ判定部１２３に出力される。
【００５３】
続いて、ＨＡＲＱ−ＡＣＫシンボル加算部１２２から出力されてくる前記加算値は、ＡＣＫ判定部１２３において、送信された一つのパケットデータについて最終的にＡＣＫ信号であるかＮＡＣＫ信号であるか判定される。なお、ＨＡＲＱ−ＡＣＫシンボル加算部１２２から出力されてくる前記加算値をＡＣＫ信号ともＮＡＣＫ信号とも判定できない場合は、ＡＣＫ判定部１２３はＤＴＸ信号を出力する。そして、この判定後の送達確認信号は、ＡＣＫ判定部１２３から一定周期で入力タイミング制御部１３３に出力される。
【００５４】
一方で、ＨＳ−ＤＰＣＣＨ受信部１２１から誤り訂正部１２４に出力された回線品質情報は、誤り訂正部１２４においてその誤りが訂正される。誤り訂正された回線品質情報は、ＣＱＩ処理部１２５に出力される。
【００５５】
続いて、ＣＱＩ処理部１２５において、回線品質情報に基づいて各チャンネルにおける回線品質（通信端末装置における下り回線品質状態の程度）が判定される。そして、この判定結果が、スケジューリング部１３１に出力される。
【００５６】
続いて、入力タイミング制御部１３３には、ＡＣＫ判定部１２３における判定後の送達確認信号（ＡＣＫ信号、ＮＡＣＫ信号又はＤＴＸ信号）が周期的に出力されてくる。このとき、入力タイミング制御部１３３には、スケジューリング部１３１から出力されてくる前記送信タイミング情報が保持されている。そのため、入力タイミング制御部１３３では、ＡＣＫ判定部１２３から出力されてくる送達確認信号が以下のように処理される。
【００５７】
図２に、基地局装置１００から通信端末装置ａ（ＭＳ＃ａ）、通信端末装置ｂ（ＭＳ＃ｂ）及び通信端末装置ｃ（ＭＳ＃ｃ）にそれぞれパケットデータが送信され、それぞれの通信端末装置から送達確認信号及び回線品質情報が返信されてくる場合におけるタイムチャートを示す。
【００５８】
先ず、ＨＳ−ＳＣＣＨ送信部１４１から通信端末装置ａに対してパケットデータの関連情報が３スロット連続して送信される。なお、３スロットは時間に換算して約２ｍｓであり、３スロットで一つのパケットデータが送信される。これに続いて、ＨＳ−ＳＣＣＨ送信部１４１から通信端末装置ｂに対して前記同様に３スロットの同関連情報が送信され、続いて３スロット間を置いて、ＨＳ−ＳＣＣＨ送信部１４１から通信端末装置ｃに対して３スロットの同関連情報が送信される。
【００５９】
続いて、前記通信端末装置ａに対する前記関連情報の送信が開始されてから２スロット遅れて、ＨＳ−ＰＤＳＣＨ送信部１４２から通信端末装置ａに対してパケットデータが３スロット送信される。また、前記ＨＳ−ＳＣＣＨ送信部１４１からの前記関連情報の送信のときと同じ間隔で、ＨＳ−ＰＤＳＣＨ送信部１４２から通信端末装置ｂ，ｃに対してパケットデータが送信される。
【００６０】
続いて、ＨＳ−ＳＣＣＨ送信部１４１から通信端末装置ａへの関連情報の送信が終了した時点を基準として７．５スロット経過した後に、ＨＳ−ＤＰＣＣＨ受信部１２１に通信端末装置ａからの送達確認信号が入力される。なお、前記７．５スロットは、ＨＳＤＰＡの規格で定められた間隔である。また、通信端末装置ｂ，ｃについても同様に、ＨＳ−ＳＣＣＨ送信部１４１から通信端末装置ｂ，ｃへの前記関連情報の送信が終了した時点を基準として７．５スロット経過した後に、通信端末装置ｂ，ｃにそれぞれ割り当てられた受信信号加工ユニット１２０のＨＳ−ＤＰＣＣＨ受信部１２１に通信端末装置ｂ，ｃからの送達確認信号がそれぞれ入力される（図示しない）。
【００６１】
ここで、ＨＳ−ＤＰＣＣＨ受信部１２１に入力される送達確認信号及び回線品質情報は、３スロットの構成であり、ＡＣＫ又はＮＡＣＫからなる複数のシンボルで構成されるＨＡＲＱ−ＡＣＫ信号で１スロットを占用し、ＣＱＩ信号で２スロットを占用する。
【００６２】
続いて、ＨＳ−ＤＰＣＣＨ受信部１２１に入力された送達確認信号は、Ａ／Ｄ変換、逆拡散及び復調等の処理が施された後に、順次ＨＡＲＱ−ＡＣＫシンボル加算部１２２に出力される。ＨＡＲＱ−ＡＣＫシンボル加算部１２２は、ＨＳ−ＤＰＣＣＨ受信部１２１から出力されてくるＨＡＲＱ−ＡＣＫ信号の末尾を起点として、ＨＡＲＱ−ＡＣＫ信号のシンボルを全て加算する。そして、ＨＡＲＱ−ＡＣＫシンボル加算部１２２は、ＨＡＲＱ−ＡＣＫ信号におけるＡＣＫ又はＮＡＣＫからなるシンボルの加算値を、３スロット毎にＡＣＫ判定部１２３に出力する。
【００６３】
続いて、前記加算値は、ＡＣＫ判定部１２３において所定の基準値と比較されて、ＡＣＫ信号であるかＮＡＣＫ信号であるかを判定される。そして、この判定の結果即ちＡＣＫ信号又はＮＡＣＫ信号が、ＡＣＫ判定部１２３から入力タイミング制御部１３３に３スロット毎に出力される。しかし、前記加算値がＡＣＫ信号ともＮＡＣＫ信号とも判定できない場合には、ＡＣＫ判定部１２３から入力タイミング制御部１３３にＤＴＸ信号が出力される。なお、前記判定には、殆ど時間を要しないため、入力タイミング制御部１３３にＡＣＫ信号、ＮＡＣＫ信号又はＤＴＸ信号が入力されるタイミングは、ＡＣＫ判定部１２３に前記加算値が入力されるタイミングとほぼ同一視できる。
【００６４】
ここで、入力タイミング制御部１３３においては、スケジューリング部１３１から送信されてくる前記送信タイミング情報に基づいて、ＡＣＫ判定部１２３から送達確認信号が入力されてくるタイミングを予測することができる。具体的には、通信端末装置ａから送信されてくる送達確認信号が入力タイミング制御部１３３に入力されるタイミングは、ＨＳＤＰＡの規格によれば▲３▼の時点となる。そこで、この▲３▼の時点を基準として、その前後に一定の猶予期間α、βを設けることが好ましい。この猶予期間α（前記基準時より前）、β（前記基準時より後）としては、それぞれ５００μｓ以下特に２００μｓから５００μｓまでが好適である。この猶予期間が長くなるほど、通信端末装置と基地局装置と間での送受信で生じる伝搬遅延等を吸収しやすくなるが、一方で送達確認信号の入力タイミング制御部１３３に入力される周期が約２ｍｓであるので、今回の入力データと次回の入力データを分離する必要があることから、猶予期間α及びβは共に５００μｓ以下特に２００μｓから５００μｓまでとすることが好適である。なお、通信端末装置ｂから送信されてくる送達確認信号が入力タイミング制御部１３３に入力されるタイミングは、ＨＳＤＰＡの規格によれば▲４▼の時点となり、同様に通信端末装置ｃについては▲６▼の時点となる。
【００６５】
続いて、入力タイミング制御部１３３は、ＡＣＫ判定部１２３から出力されてくる判定後の送達確認信号を猶予期間α及びβ内に限り、スケジューリング部１３１へと通過させる。なお、入力タイミング制御部１３３は、ＡＣＫ判定部１２３からＤＴＸ信号が出力されてくるときには、スケジューリング部１３１に信号を何も出力しない。そして、入力タイミング制御部１３３は、前記猶予期間以外に出力されてくるＡＣＫ信号又はＮＡＣＫ信号についても、スケジューリング部１３１に信号を何も出力しない。このように有効な送達確認信号が送信されてくると予測される期間に限り、入力タイミング制御部１３３がＡＣＫ信号又はＮＡＣＫ信号をスケジューリング部１３１へと通過させることにより、ＤＴＸ信号と判定されるべき送達確認信号がＡＣＫ信号又はＮＡＣＫ信号と誤って判定されることを防止できる。
【００６６】
続いて、スケジューリング部１３１においては、入力タイミング制御部１３３から出力されてくるＡＣＫ信号又はＮＡＣＫ信号に基づいて、その送達確認信号を送信してくる通信端末装置に対して次回送信されるパケットデータが選択される。即ち、スケジューリング部１３１は、入力タイミング制御部１３３からＡＣＫ信号が出力されてくるときには、当該通信端末装置に対して次回割り当てられるＴＴＩで送信するパケットデータとして新規パケットデータを選択し、一方ＮＡＣＫ信号が出力されてくるときには、既に送信されたパケットデータを再送信するために選択する。そして、スケジューリング部１３１は、ＣＱＩ処理部１２５から出力されてくる回線品質情報に基づいて、送信されるパケットデータの宛先である通信端末装置毎に変調方式と符号化率を適宜選定する。例えば、スケジューリング部１３１は、回線品質がよい通信端末装置に対しては１６ＱＡＭと冗長度の低い符号化率を選択し、回線品質があまりよくない通信端末装置に対してはＱＰＳＫと冗長度の高い符号化率を選択することができる。そして、この選択された変調方式は、ＨＳ−ＳＣＣＨ送信部１４１、無線送信部１４３及びアンテナ素子１４５を介して該当する通信端末装置に通知される。また、この選択された変調方式はＨＳ−ＰＤＳＣＨ送信部１４２にも通知され、ＨＳ−ＰＤＳＣＨ送信部１４２においてこの変調方式によってパケットデータが変調される。そして、この変調方式で変調されたパケットデータが無線送信部１４３及びアンテナ素子１４５を介して通信端末装置に送信される。
【００６７】
本実施の形態に係る基地局装置によれば、パケットデータの送信タイミング情報を出力するスケジューリング部１３１と送信タイミング情報を受信する入力タイミング制御部１３３とが共にパケット加工ユニット１３０内に配置されるため、基地局装置における部品ユニット間のデータ通信量を削減することができる。
【００６８】
また、本実施の形態に係る基地局装置によれば、スケジューリング部１３１から出力されてくる送信タイミング情報に基づいて入力タイミング制御部１３３がＡＣＫ判定部１２３から判定後の送達確認信号が出力されてくる時期を予測できるため、入力タイミング制御部１３３によって有用なＡＣＫ信号又はＮＡＣＫ信号のみが選別されてスケジューリング部１３１に出力されることから、雑音や干渉に起因する基地局装置から通信端末装置への不適切な再送信を抑制し、その情報伝送効率を高めることができる。
【００６９】
また、本実施の形態に係る基地局装置によれば、通信端末装置から送信されてくる回線品質情報に基づいて基地局装置から通信端末装置に送信されるパケットデータの変調方式が適宜選定されるため、通信端末装置との間で形成されたチャンネルの通信状態に応じて、通信端末装置でＮＡＣＫ信号が生成されることを抑制しつつ、基地局装置から通信端末装置への情報伝送効率を効果的に高めることができる。
【００７０】
（実施の形態２）
図３は、本発明の実施の形態２に係る基地局装置の構成を示すブロック図である。
【００７１】
以下、本実施の形態に係る基地局装置について、適宜図を参照しつつ説明するが、実施の形態１において示した構成要素と同様の機能を発揮する構成要素については、同一の参照符号を附してその説明を省略する。
【００７２】
本実施の形態に係る基地局装置３００は、実施の形態１に係る基地局装置１００において、受信信号加工ユニット１２０に具備されるＡＣＫ判定部１２３をパケット加工ユニット１３０における入力タイミング制御部１３３とスケジューリング部１３１との間に配置移動したものである。また、ＡＣＫ判定部１２３の配置移動に伴い、入力タイミング制御部１３３とＡＣＫ判定部３３２との間に、ＨＡＲＱ−ＡＣＫデータ加算部３３１が新たに設けられる。即ち、本実施の形態に係る基地局装置３００におけるパケット加工ユニット３３０は、入力タイミング制御部１３３、ＨＡＲＱ−ＡＣＫデータ加算部３３１、ＡＣＫ判定部３３２、スケジューリング部１３１及びパケットデータバッファ１３２を具備する。
【００７３】
基地局装置３００は、３ＧＰＰ規格で定められたＨＡＲＱ−ＡＣＫ信号が繰り返し送信される場合（Ｒｅｐｅｔｉｔｉｏｎ  Ｆａｃｔｏｒ  ＞  １）に使用されるものである。
【００７４】
基地局装置３００では、ＨＡＲＱ−ＡＣＫシンボル加算部１２２において一つのパケットデータに対応するＨＡＲＱ−ＡＣＫ信号即ち複数のＡＣＫ又は複数のＮＡＣＫからなるシンボルデータが加算され、この加算値（軟判定データ）が、パケット加工ユニット３３０の入力タイミング制御部１３３に入力される。なお、本実施の形態では、複数のＡＣＫ又は複数のＮＡＣＫで構成されるＨＡＲＱ−ＡＣＫ信号が通信端末装置から基地局装置に繰り返し送信される。
【００７５】
続いて、入力タイミング制御部１３３では、スケジューリング部１３１から送信されてくる送信タイミング情報に基づいて設定された期間に限り、軟判定データがＨＡＲＱ−ＡＣＫデータ加算部３３１へと通過できる。この入力タイミング制御部１３３における軟判定データの通過タイミングについて、以下に説明する。
【００７６】
以下、３ＧＰＰ規格で定められたＲｅｐｅｔｉｔｉｏｎ  Ｆａｃｔｏｒ＝３により通信端末装置から基地局装置に送達確認信号（ＨＡＲＱ−ＡＣＫ信号）を送信する場合について説明する。
【００７７】
図４に、基地局装置３００から通信端末装置ａ（ＭＳ＃ａ）に１つのパケットデータ（３スロット）が送信され、通信端末装置ａから送達確認信号が３回繰り返し送信されてくる場合におけるタイムチャートを示す。
【００７８】
本実施の形態においても、パケットデータの送信が終了してから７．５スロット経過後に、ＨＳ−ＤＰＣＣＨ受信部１２１に通信端末装置ａからの送達確認信号（ＨＡＲＱ−ＡＣＫ信号）が到達する。ＨＳ−ＤＰＣＣＨ受信部１２１は、ＨＡＲＱ−ＡＣＫ信号の末尾を検知すると同時に、ＨＡＲＱ−ＡＣＫシンボル加算部１２２に１回分のＨＡＲＱ−ＡＣＫ信号を出力する。ＨＡＲＱ−ＡＣＫシンボル加算部１２２は、１回分のＨＡＲＱ−ＡＣＫ信号に含まれるＡＣＫ又はＮＡＣＫからなるシンボルを全て加算して軟判定データを作成し、この軟判定データを周期的に３回入力タイミング制御部１３３に出力する。
【００７９】
続いて、入力タイミング制御部１３３では、スケジューリング部１３１から出力されてくる送信タイミング情報に基づいて、目的とする軟判定データが出力されてくるタイミングを予測できる。そして、入力タイミング制御部１３３は、この予測されるタイミングでのみ軟判定データを通過させる。具体的には、基地局装置から送信された１つのパケットデータに対するＨＡＲＱ−ＡＣＫ信号の軟判定データが出力されてくると予測される時点は、▲３▼、▲４▼及び▲５▼の時点であるため、▲３▼から▲５▼までの期間と、その前に猶予期間α（５００μｓ以下特に２００μｓから５００μｓまでが好適）及びその後に猶予期間β（５００μｓ以下特に２００μｓから５００μｓまでが好適）を付加した期間と、に限り、入力タイミング制御部１３３は前記軟判定データを通過させる。また、入力タイミング制御部１３３は、▲３▼から▲５▼までの期間に猶予期間α及びβを付加した期間以外に軟判定データを入力されたときには、これらの軟判定データを遮断する。
【００８０】
続いて、入力タイミング制御部１３３を通過してくる軟判定データは、ＨＡＲＱ−ＡＣＫデータ加算部３３１において、前記３回分が加算されて、この加算値がＡＣＫ判定部３３２に出力される。
【００８１】
続いて、ＡＣＫ判定部３３２では、ＨＡＲＱ−ＡＣＫデータ加算部３３１における加算値がＡＣＫ信号であるか又はＮＡＣＫ信号であるかを判定される。また、ＡＣＫ判定部３３２では、前記加算値についてＡＣＫ信号であるかＮＡＣＫ信号であるかを判定できない場合には、ＤＴＸ信号が出力される。そして、この判定後の送達確認信号（ＤＴＸ信号を含む）がスケジューリング部１３１に出力される。
【００８２】
続いて、スケジューリング部１３１においては、ＡＣＫ判定部３３２から出力されてくるＡＣＫ信号又はＮＡＣＫ信号に基づいて、その送達確認信号を送信してくる通信端末装置に対して次回送信されるパケットデータが選択される。即ち、スケジューリング部１３１は、ＡＣＫ判定部３３２からＡＣＫ信号が出力されてくるときには、当該通信端末装置に対して次回割り当てられるＴＴＩで送信するパケットデータとして新規パケットデータを選択すると伴に、パケットデータバッファ１３２に保持される対応パケットデータを廃棄し、この対応パケットデータのために使用していたＨＡＲＱのリソースを解放する。また、スケジューリング部１３１は、ＡＣＫ判定部３３２からＮＡＣＫ信号が出力されてくるときには、対応するパケットデータをパケットデータバッファ１３２から入手して、ＨＳ−ＳＣＣＨ送信部１４１、ＨＳ−ＰＤＳＣＨ送信部１４２及び無線送信部１４３を介して、アンテナ素子１４５から通信端末装置に前記パケットデータを再送信する。また、スケジューリング部１３１は、ＡＣＫ判定部３３２からＮＡＣＫ信号が出力されてくるときには、特に作動せず、次の送達確認信号が出力されてくるまで待機する。
【００８３】
本実施の形態に係る基地局装置によれば、通信端末装置から基地局装置にＨＡＲＱ−ＡＣＫ信号が繰り返し送信される場合においても、実施の形態１に係る基地局装置によって奏される効果と同等の効果を得ることができる。
【００８４】
なお、本実施の形態に係る通信システムを以下のように変形したり、応用したりしてもよい。
【００８５】
本実施の形態では、ＨＡＲＱ−ＡＣＫシンボル加算部１２２から３回出力されてくる軟判定データがＨＡＲＱ−ＡＣＫデータ加算部３３１によって加算され、この加算値がＡＣＫ判定部３３２に出力される場合について説明したが、本発明はこの場合に限定されるものではなく、例えばＨＡＲＱ−ＡＣＫデータ加算部３３１を設けることなく前記軟判定データがそのままＡＣＫ判定部３３２に入力されるようにしてもよい。
【００８６】
また、本実施の形態では、通信端末装置が基地局装置にＨＡＲＱ−ＡＣＫ信号を３回繰り返し送信する場合について説明したが、本発明はこの場合に限定されるものではなく、例えばＨＡＲＱ−ＡＣＫ信号の繰り返し送信回数を任意の回数としてもよい。
【００８７】
【発明の効果】
以上説明したように、本発明によれば、パケットデータの送信を制御するスケジューリング手段の近傍にパケットデータの再送信の要否判定に不可欠な信号の流れを制御する入力タイミング制御手段を配置することができるため、高速パケット通信においてチャンネル数が増えても、部品ユニット間のデータ通信量の肥大化を抑制できる基地局装置及びこの基地局装置における信号処理方法を提供することができる。
【図面の簡単な説明】
【図１】本発明の実施の形態１に係る基地局装置の構成を示すブロック図
【図２】実施の形態１に係る基地局装置の信号処理のタイムチャートを示す図
【図３】本発明の実施の形態２に係る基地局装置の構成を示すブロック図
【図４】実施の形態２に係る基地局装置の信号処理のタイムチャートを示す図
【図５】従来の基地局装置の構成を示すブロック図
【符号の説明】
１００、３００  基地局装置
１１１、１４５  アンテナ素子
１１２  無線受信部
１２０、３２０  受信信号加工ユニット
１２１  ＨＳ−ＤＰＣＣＨ受信部
１２２  ＨＡＲＱ−ＡＣＫシンボル加算部
１２３、３３２  ＡＣＫ判定部
１２４  誤り訂正部
１２５  ＣＱＩ処理部
１３０、３３０  パケット加工ユニット
１３１  スケジューリング部
１３２  パケットデータバッファ
１３３  入力タイミング制御部
１４１  ＨＳ−ＳＣＣＨ送信部
１４２  ＨＳ−ＰＤＳＣＨ送信部
１４３  無線送信部
３３１  ＨＡＲＱ−ＡＣＫデータ加算部
【図１】
2004328397.tif 000003
【図２】
2004328397.tif 000004
【図３】
2004328397.tif 000005
【図４】
2004328397.tif 000006
【図５】
2004328397.tif 000007